(57)【特許請求の範囲】
【請求項１】
（ａ）床面に固定された台座、
（ｂ）磁性体からなり、前記台座に上下に揺動自在に取り付けられたプレート、および
（ｃ）ドアの下部に固定されたケースと、
（ｄ）前記ケースの下面に設けられた磁石本体と、
（ｅ）前記ケースの上部に設けられた操作部材とを有する戸当りであって、
前記プレートの少なくとも一部が前記ケースの下面に係合可能であり、
前記ケースの下面から出没自在に突出し、前記プレートに形成された貫通孔に係合する突出部材と、該突出部材の下端に形成された爪とからなるロック機構を備え、
前記操作部材を、下方位置でロックおよびロック解除可能な昇降機構を備え、
前記操作部材を押し下げることにより、前記操作部材を下方位置でロックし、前記突出部材をケースの下面から突出させ、
再度操作部材を押し下げることにより、前記操作部材の下方位置でのロックを解除して、前記突出部材がケースの下面から突出した状態から、上方に移動する
ことを特徴とする戸当り。
【発明の詳細な説明】
【技術分野】
【０００１】
本発明は戸当りに関する。さらに詳しくは、ドア側の磁石と床面に揺動自在に設置された磁性体プレートとを吸着させることによりドアを全開位置に固定する戸当りであって、ドアを全開位置に容易かつ確実にロックすることができる戸当りに関する。
【背景技術】
【０００２】
従来より、図１５〜１６に示すように、ドア５０の開閉によりドア５０またはノブ５１が壁またはドア５０周辺の家具やキャビネット５２などに衝突し、これらに損傷が生じるのを防ぐために戸当り５３がドア５０の付近の床５４に設けられている。
【０００３】
かかる戸当り５３としては、床５４に立設される雄ねじ（図示せず）に螺着される基部５５と、該基部５５の上部に固着される緩衝体５６とからなるものがある。
【０００４】
また、ドア５０を開放状態にしておくために、前記基部５５内に差し込まれているＵ字状の止め金具５７を引き抜き、ドア５０の側面に設けられた鉤付き座金５８の鉤部５９に係止するようにしている。
【発明の概要】
【発明が解決しようとする課題】
【０００５】
しかしながら、前記戸当り５３では、常時床５４に立設されているため、前記ドア５０が戸当り５３に固定されていないばあい、歩行中誤って戸当り５３に蹴つまづいてしまう惧れがある。
【０００６】
また、運搬物、たとえばキャビネット５２を移動させる際に、邪魔になるし、誤ってキャビネット５２が戸当り５３に衝突すると、キャビネット５２がへこんだり、戸当り５３が変形する惧れがある。さらに、床掃除をする際に邪魔になっていた。
【０００７】
さらに、従来の戸当り５３は、常時床５４に立設されているため、床５４の上に異物が突出しているように見え、美観上好ましくない。
【０００８】
一方、床から出没自在の戸当りも種々検討されており、従来より知られている出没自在の戸当りとして、磁石を用いた戸当りなどがある。特許公報第２９９０６０１号および特開平１０−１１５５１３９号公報に記載された磁石を用いた戸当りは、たとえば、床面に揺動自在に設置された磁性体プレートを、ドア側の磁石に吸着させることによりドアを全開位置に固定している。
【０００９】
しかし、ドアの表面積は比較的広いので、ドアに風が当って強い力が加われば、磁石とプレートとのあいだの吸着力のみでは、ドアを全開位置に保持することができなくなり、ドアがいきおいよく閉まってしまうなどの問題がある。
【００１０】
本発明はかかる問題を解消するためになされたものであり、ドア側の磁石と床面に揺動自在に設置された磁性体プレートとを吸着させることによりドアを全開位置に固定する戸当りであって、容易かつ確実にドアを全開位置にロックすることができる戸当りを提供することを目的とする。
【課題を解決するための手段】
【００１１】
本発明の戸当りは、（ａ）床面に固定された台座、
（ｂ）磁性体からなり、前記台座に上下に揺動自在に取り付けられたプレート、および
（ｃ）ドアの下部に固定されたケースと、
（ｄ）前記ケースの下面に設けられた磁石本体と、
（ｅ）前記ケースの上部に設けられた操作部材とを有する戸当りであって、
前記プレートの少なくとも一部が前記ケースの下面に係合可能であり、
前記ケースの下面から出没自在に突出し、前記プレートに形成された貫通孔に係合する突出部材と、該突出部材の下端に形成された爪とからなるロック機構を備え、
前記操作部材を、下方位置でロックおよびロック解除可能な昇降機構を備え、
前記操作部材を押し下げることにより、前記操作部材を下方位置でロックし、前記突出部材をケースの下面から突出させ、
再度操作部材を押し下げることにより、前記操作部材の下方位置でのロックを解除して、前記突出部材がケースの下面から突出した状態から、上方に移動することを特徴とする。
【発明の効果】
【００１２】
本発明によれば、磁石の吸引力により床上のプレートを揺動させる戸当りに、さらに、プレートを磁石の下面に着脱自在に係合するロック機構を設けたことにより、容易かつ確実にドアを全開位置にロックすることができる。したがって、ドアＤに風が当っても不意に閉まるなどの問題がなくなるため、強い風が当りやすい高層マンションのドアなども容易かつ確実に全開位置にロックすることができる。
【００１３】
また、戸当りを使用しないばあいには、本体部分のプレートが床面とほぼ面一になるため、歩行やキャビネットなど運搬物の移動を安定に行なうことができる。
【００１４】
しかも、ドアを全開にしていないときには、プレートが床面とほぼ面一になるため、ドア周辺の床面は平坦であり、美観を向上することができる。しかも、床面のフラット感を生かした玄関周りのエクステリア設計が可能になる。
【図面の簡単な説明】
【００１５】
【図１】本発明の戸当りの一実施の形態を示す斜視説明図である。
【図２】図１の磁石の断面説明図である。
【図３】図１の磁石を下から見た図である。
【図４】図１の磁石における突出部材のための昇降機構の主要部の動きを示す工程説明図である。
【図５】図１の磁石における突出部材のための昇降機構の主要部の動きを示す工程説明図である。
【図６】図１の磁石における突出部材のための昇降機構の主要部の動きを示す工程説明図である。
【図７】図１の磁石における突出部材のための昇降機構の主要部の動きを示す工程説明図である。
【図８】図１の本体部分の平面説明図であって、（ａ）は本体部分を上から見た図であり、（ｂ）は本体部分を下から見た図である。
【図９】図１の磁石下面の突出部材とプレートとが係合する工程を示す工程断面説明図である。
【図１０】図１の磁石下面の突出部材とプレートとが係合する工程を示す工程断面説明図である。
【図１１】本発明の戸当りの他の実施の形態を示す工程断面説明図である。
【図１２】本発明の戸当りの他の実施の形態を示す工程断面説明図である。
【図１３】本発明の戸当りのさらに他の実施の形態を示す、それぞれ台形形状を呈する、磁石下面の凹部と本体部分のプレートとの組合せを示す説明図である。
【図１４】図１３（ａ）の磁石のＡ−Ａ断面図である。
【図１５】従来のドアの固定状態を示す説明図である。
【図１６】従来の戸当りを示す説明図である。
【発明を実施するための形態】
【００１６】
つぎに図面を参照しながら本発明の戸当りを詳細に説明する。図１は本発明の戸当りの一実施の形態を示す斜視説明図、図２は図１の磁石の断面説明図、図３は図１の磁石を下から見た図、図４〜７は図１の磁石における突出部材のための昇降機構の主要部の動きを示す工程説明図、図８は図１の本体部分の平面説明図であって、（ａ）は本体部分を上から見た図であり、（ｂ）は本体部分を下から見た図、図９〜１０は図１の磁石下面の突出部材とプレートとが係合する工程を示す工程断面説明図、図１１〜１２は本発明の戸当りの他の実施の形態を示す工程断面説明図、図１３（ａ）、（ｂ）は本発明の戸当りのさらに他の実施の形態を示す、それぞれ台形形状を呈する、磁石下面の凹部と本体部分のプレートとの組合せを示す説明図、および図１４は図１３（ａ）の磁石のＡ−Ａ断面図である。
【００１７】
図１に示される戸当りは、大きく分けて床面に設置された本体部分１と、ドアＤに固着される磁石２とから構成されている。
【００１８】
本体部分１は、図１および図８に示されるように、床面にネジなどで固定された亜鉛合金などからなる台座３に、鉄などの磁性体からなるプレート４が揺動自在に取り付けられている。本体部分１の設置方法については、本発明ではとくに限定するものではなく、図１のように床面に設置してもよいし、または床に形成される埋設穴に埋設してもよい。
【００１９】
図８において（ａ）に上面側、（ｂ）に下面側が示されるプレート４は、薄い鉄板を加工して形成されている。プレート４の前端４ａは下面まで折り返され、両側縁４ｂは下方へ直角に折り曲げられている（図９参照）ため、プレート４全体の剛性が大幅に向上している。
【００２０】
また、プレート４の後端を後方へ丸く巻き込むことにより、一対の軸受部４ｃがプレート４に一体形成されている。軸受部４ｃには、丸棒状の回転軸４ｄが挿入されている。
【００２１】
台座３には、プレート４を収容する矩形の開口部３ａが形成されている。プレート４は、台座３の開口部３ａに下方から挿入され、回転軸４ｄの両端は、下方に開いた一対の軸受凹部３ｂに回転自在に挿入されている。
【００２２】
図８（ｂ）に示されるように、一対の軸受凹部３ｂは、台座３の下面にネジなどにより固着された軸押さえ板３ｃによって閉塞されているので、回転軸４ｄが台座３の軸受凹部３ｂから脱落する心配がない。また、軸押さえ板３ｃの中央部には、突片３ｄが前方に突設されている。突片３ｄは、プレート４の下方への落込みを防止するとともに回転軸４ｄを下方から支持する。また、突片３ｄの先端には回転軸４ｄに平行にリブが形成されており、プレート４が回転軸４ｄから離れる方向の力に対して抵抗することができる。
【００２３】
また、プレート４には、後述するドアＤ側の磁石２の下面に出没する突出部材９に係合する矩形形状の係合孔５が形成されている。なお、本実施の形態では、係合孔５の形状、および係合孔５に係合する後述の突出部材９の断面形状が、矩形形状を例にあげて説明しているが、本発明はこれに限定されるものではなく、係合孔５を丸孔にするとともに突出部材９を円柱にしてもよい。
【００２４】
磁石２は、図１〜３に示されるように、ドアＤの下面にネジなどによって固着されたケース６と、当該ケース６の下面に若干突出するように埋設された一対の磁石本体７と、ケース６の上部に上下動自在に挿入された操作部材８と、操作部材８に固着されるとともにケース６の貫通孔６ａに上下動自在に挿入された略四角柱状の突出部材９と、ケース６内部に収容され、前記操作部材８および突出部材９を上方へ付勢する圧縮コイルバネ１０と、ケース６の裏面を覆う裏蓋１１とから構成されている。
【００２５】
ケース６の下面６ｃは、後方に向かうにつれて上昇するように傾斜しており、上方に揺動したプレート４と磁石本体７とがぴったりと面接触できるようになっている。また、ケース６の下面６ｃの奥端には、ドアＤに沿って下方に延びる部分６ｂが形成されており、かかる部分６ｂに対して、磁石本体７に吸着されたプレート４の先端が衝突するようになっている。ケース６の部分６ｂは、プレート４との衝突の際の衝撃を吸収できるように、合成樹脂で作製したり、表面にゴムなどを貼着するのが好ましい。
【００２６】
本実施の形態において、プレート４を磁石２の下面（すなわち、ケース６の下面６ｃ）にロックするためのロック機構は、突出部材９から構成されている。突出部材９の下端には、プレート４の係合孔５に係合しやすいように、爪９ａが形成されている。また、爪９ａがプレート４の表面を滑って係合孔５に係合しやすいように突出部材９の下面９ｂは、後方に向かうにつれて下降するように傾斜している。
【００２７】
なお、本実施の形態では、図２〜３に示されるように、一対の磁石本体７がケース６の幅方向に沿って貫通孔６ａの両側に配設されているが、本発明はこれに限定されるものではなく、一対の磁石本体７をケース６の前後方向に沿って配置してもよい。
【００２８】
また、本実施の形態では、図３に示されるように、一対の磁石本体７が縦方向にのびるように配置されているが、本発明はこれに限定されるものではなく、横方向にのびるように配置してもよく、または１本のみの磁石本体７が横方向に伸びるように配置してもよい。
【００２９】
さらに、本実施の形態の戸当りは、操作部材８および突出部材９を所定の下方位置に容易にロックしたり、または解除できるように、裏蓋１１の内側に昇降機構１２を備えている。
【００３０】
昇降機構１２は、図２および図４に示されるように、前記操作部材８の後面に回転自在に取り付けられた係止部１３ａを有する係止体１３と、ケース６の後面に設けられた、前記係止体１３に当接し得る当接体１４と、前記ケース６の後面の前記当接体１４よりも上側に設けられた、前記係止体１３の係止体１３ａを係止するための突起１５とから構成されている。
【００３１】
昇降機構１２は、以下のようにして操作部材８およぶ突出部材９のロックを行なう。まず、足で操作部材８のペダル１６を押し下げれば、係止体１３がケース６の後面に形成された溝６ｄ内部を下降し、当接体１４が係止体１３に当接して係止体１３を回転させる（図５参照）。
【００３２】
そののち、足をペダルから離せば、操作部材８は、前記圧縮コイルバネ１０の付勢力によって上昇するが、係止体１３の係止部１３ａが突起１５に係止されたときに所定の下方位置にロックされる（図６参照）。このとき、突出部材９の下端は、ケース６から若干下方に突出する（図９参照）。
【００３３】
さらに、もう１度、足で操作部材８を押し下げれば、図７のように、当接体１４がさらに係止体１３を回転させることにより、操作部材８のロックを解除することができる。
【００３４】
また、図４〜７に示されるように、操作部材８の後面から突設された突起８ａが、ケース６の後面に形成された上下方向に延びるスリット６ｇに挿入されているので、操作部材８は、ほぼスリット８ａの長さだけ上下に移動することができるが、ケース６から抜け落ちることがない。
【００３５】
本実施の形態の戸当りを使用する場合、図９に示されるように、まず足で磁石２のペダル１６を踏み、突出部材９を下方に突出させてロックさせ、このロック状態で、ドアＤを全開位置まで開ける。
【００３６】
ドアＤが全開位置までくると、図１０に示されるように、プレート４は上方へ揺動して磁石２の下面に吸着されるとともに、突出部材９が、プレート４の係合孔５に係合する。それにより、ドアＤは、全開位置に容易かつ確実にロックされ、ドアＤに風が当っても不意に閉まることがなくなる。
【００３７】
一方、ドアＤのロックを解除したい場合には、再度、足でペダル１６を踏めば、突出部材９は上方へ移動してロックが解除されるので、ロック解除後は、ドアＤを容易に閉めることができる。
【００３８】
なお、ロック解除の状態でも、ドアＤを全開位置まで開ければ、プレート４が磁石２に吸着するので、ドアＤは弱い力で全開位置に保持される。したがって、荷物の搬入を行なう場合など、一時的にドアＤを全開位置に保持したいときに便利である。
【００３９】
以上の図１〜１０に示される戸当りは、磁石２の突出部材９がプレート４の係合孔５に係合することにより、ドアＤのロックを行なうものであるが、本発明はこれに限定されるものではなく、反対の例として、プレート４側にドアＤのロックを行なうための突起を設けてもよい。
【００４０】
すなわち、本発明の他の実施の形態として、図１１〜１２に示される戸当りでは、ロック機構が、プレート４上面に形成され、磁石２のケース６の下面６ｃに形成された貫通孔６ａに係合し得る突起１７と、プレート４を下方へ押し下げるプレート押圧部である突出部材９とから構成されている。図１１〜１２に示される戸当りは、プレート４に係合孔を形成する代わりに突起１７を設けた点で、図１〜１０に示される戸当りと異なり、その他の構成については、図１〜１０に示される戸当りと共通の構成を有している。
【００４１】
プレート４上の突起１７は、磁石２側のケース６の下面６ｃを滑りやすいように、ドアＤに近づくにつれて下降する方向に斜面が形成されている。
【００４２】
この図１１〜１２に示される戸当りの場合、突出部材９を上げた状態でドアＤを全開位置まで開ければ、プレート４は上方へ揺動して磁石２の下面に吸着されるとともに、突起１７がケース６の貫通孔６ａに係合する。それにより、ドアＤは、全開位置に容易かつ確実にロックされ、ドアＤに風が当っても不意に閉まることがなくなる。
【００４３】
一方、ドアＤのロックを解除したい場合には、足でペダル１６を踏めば、突出部材９が下方へ移動してプレート４を押し下げることによりロックが解除されるので、ロック解除後は、ドアＤを容易に閉めることができる。
【００４４】
図１１〜１２に示される戸当りでは、磁石２として、貫通孔６ａ内部を突出部材９が出没するものを例にあげて説明したが、本発明はこれに限定されるものでなく、磁石２の下面に突起１７が係合し得る凹部が形成され、磁石２またはプレート４のいずれかにプレート４を下方へ押し下げるプレート押圧部を備えていれば、種々の態様を採用することができる。たとえば、プレート押圧部として、突出部材９の代わりに、磁石２にレバーを設けたり、プレート４の幅方向（図１２の紙面垂直方向）に延設されたペダルなどを採用してもよい。
【００４５】
また、本発明のさらに他の実施の形態として、図１３〜１４に示される戸当りでは、ロック機構が、プレート４の周面からプレート４の幅方向に延び、磁石２のケース６の下面６ｃに形成された凹部１８に嵌合する幅方向突起１９と、プレート４を下方へ押し下げるプレート押圧部である突出部材９とから構成されており、その他の構成については、図１３〜１４に示される戸当りは、プレート４に係合孔を有していない点を除き、図１〜１０に示される戸当りと共通の構成を有している。
【００４６】
図１３（ｂ）に示されるプレート４は、一対の幅方向突起１９をプレート４の側面に一体形成することにより、プレート４の全体が台形形状を呈している。したがって、幅方向突起１９の部分の強度も強くなり、しかも成形が容易である。
【００４７】
また、磁石２のケース６の下面６ｃに形成された凹部１８は、一対の幅方向突起１９とともにプレート４の先端部分と嵌合することができるように、プレート４に対して相補的な台形形状を呈している。
【００４８】
さらに、図１３（ａ）および図１４に示されるように、前記下面６ｃの凹部１８の両側縁には、プレート４の一対の幅方向突起１９が、ケース６の前面６ｅの下縁を乗りこえやすいように、スロープ（斜面）６ｆが形成されている。
【００４９】
図１３〜１４に示される戸当りの場合、突出部材９を上げた状態でドアＤを全開位置まで開ければ、プレート４は上方へ揺動して磁石２の下面に吸着されるとともに、一対の幅方向突起１９を含むプレート４の全体がケース６の凹部１８に嵌合する。それにより、ドアＤは、全開位置に容易かつ確実にロックされ、ドアＤに風が当っても不意に閉まることがなくなる。
【００５０】
一方、ドアＤのロックを解除したい場合には、足でペダル１６（図９参照）を踏めば、突出部材９が下方へ移動してプレート４を押し下げることによりロックが解除されるので、ロック解除後は、ドアＤを容易に閉めることができる。
【００５１】
図１３〜１４に示される戸当りでは、一対の幅方向突起１９を含むプレート４、および磁石２側の凹部１８を台形形状にしたが、本発明はこれに限定されるものではなく、プレート４側の幅方向突起１９が磁石２側の凹部１８に係合することにより、ドアＤをロックすることができるものであれば、いかなる態様も採用することができる。
【００５２】
図１３〜１４に示される戸当りでも、前記図１１〜１２に示される戸当りと同様に、磁石２として、貫通孔６ａ内部を突出部材９が出没するものを例にあげて説明したが、本発明はこれに限定されるものでなく、磁石２の下面に幅方向突起１９が係合し得る凹部１８が形成され、磁石２またはプレート４のいずれかにプレート４を下方へ押し下げるプレート押圧部を備えていれば、種々の態様を採用することができる。たとえば、プレート押圧部として、突出部材９の代わりに、磁石２にレバーを設けたり、プレート４の幅方向（図１２の紙面垂直方向）に延設されたペダルなどを採用してもよい。
【符号の説明】
【００５３】
１  本体部分
２  磁石
３  台座
４  プレート
【図１】
0004902694.tif 000002
【図２】
0004902694.tif 000003
【図３】
0004902694.tif 000004
【図４】
0004902694.tif 000005
【図５】
0004902694.tif 000006
【図６】
0004902694.tif 000007
【図７】
0004902694.tif 000008
【図８】
0004902694.tif 000009
【図９】
0004902694.tif 000010
【図１０】
0004902694.tif 000011
【図１１】
0004902694.tif 000012
【図１２】
0004902694.tif 000013
【図１３】
0004902694.tif 000014
【図１４】
0004902694.tif 000015
【図１５】
0004902694.tif 000016
【図１６】
0004902694.tif 000017